(57)【特許請求の範囲】
【請求項１】
一側面には挿入突起が突出形成されているプローブピンが装着されるプローブブロックと、
前記プローブピンが前記プローブブロックから左右方向に遊動することを防止する第１の遊動防止部と前記プローブピンが前記プローブブロックから上下方向に遊動することを防止する第２の遊動防止部とを備える遊動防止部と
を備え、
前記挿入突起は、前記プローブピンから前記プローブブロックとは反対側に突出し、
前記第１の遊動防止部は、前記挿入突起にはめ込まれる挿入孔が形成されているフィルムを備える
ことを特徴とするプローブピン固定アセンブリ。
【請求項２】
一側面には挿入突起が突出形成されているプローブピンが装着されるプローブブロックと、
前記プローブピンが前記プローブブロックから左右方向に遊動することを防止する第１の遊動防止部を備える遊動防止部と
を備え、
前記挿入突起は、前記プローブピンから前記プローブブロックとは反対側に突出し、
前記第１の遊動防止部は、前記挿入突起にはめ込まれる挿入孔が形成されているフィルムを備える
ことを特徴とするプローブピン固定アセンブリ。
【請求項３】
その一端がディスプレイの回路パターンに接触可能に水平方向に長く形成されている第１の水平部と、前記第１の水平部の他端から垂直方向に延びて形成されている垂直部と、前記垂直部の終端から前記第１の水平部と反対方向に延びて形成されている第２の水平部と、前記垂直部に突出形成されている第１の挿入突起と前記第２の水平部に突出形成されている第２の挿入突起とを備える挿入突起とを備えるプローブピンと、
前記プローブピンが装着されるプローブブロックと、
前記プローブピンの上下方向の遊動を防止する第２の遊動防止部を備える遊動防止部と
を備え、
前記挿入突起は、前記プローブピンから前記プローブブロックとは反対側に突出していることを特徴とするプローブピン固定アセンブリ。
【請求項４】
前記プローブピンは、一定の間隔をおいて複数設けられ、
前記フィルムには、複数の挿入孔が一定の間隔をおいて形成されている
ことを特徴とする請求項１または２に記載のプローブピン固定アセンブリ。
【請求項５】
前記プローブピンは、その一端がディスプレイの回路パターンに接触可能に水平方向に長く形成されている第１の水平部と、前記第１の水平部の他端から垂直方向に延びて形成されている垂直部と、前記垂直部の終端から前記第１の水平部と反対方向に延びて形成されている第２の水平部とを備え、
前記挿入突起は、前記垂直部に突出形成されている第１の挿入突起と、前記第２の水平部に突出形成されている第２の挿入突起とを備える
ことを特徴とする請求項４に記載のプローブピン固定アセンブリ。
【請求項６】
前記第１の挿入突起は、垂直方向に長く形成され、
前記第２の挿入突起は、水平方向に長く形成され、
前記挿入孔は、長方形である
ことを特徴とする請求項５に記載のプローブピン固定アセンブリ。
【請求項７】
前記フィルムは、
前記垂直部に対応する第１のフィルムと、前記第２の水平部に対応する第２のフィルムとを備える
ことを特徴とする請求項５に記載のプローブピン固定アセンブリ。
【請求項８】
前記第１のフィルムが前記第１の挿入突起から分離されることを防止するように、前記第１の挿入突起の上端には、係止突起が突出形成されている
ことを特徴とする請求項７に記載のプローブピン固定アセンブリ。
【請求項９】
前記第１の水平部及び第２の水平部は、弾性変形可能である
ことを特徴とする請求項５に記載のプローブピン固定アセンブリ。
【請求項１０】
前記第２の水平部が弾性変形可能であるように、前記第２の水平部には、開ループ状の孔が形成されている
ことを特徴とする請求項９に記載のプローブピン固定アセンブリ。
【請求項１１】
前記プローブピンは、その一端がディスプレイの回路パターンに接触可能に水平方向に長く形成されている第１の水平部と、前記第１の水平部の他端から垂直方向に延びて形成されている垂直部と、前記垂直部の終端から前記第１の水平部と反対方向に延びて形成されている第２の水平部とを備え、
前記垂直部及び前記第２の水平部には、第１の挿入突起及び第２の挿入突起がそれぞれ突出形成され、
前記第２の遊動防止部は、前記第１の挿入突起及び第２の挿入突起の上端に同時に面接触して前記プローブピンを固定する
ことを特徴とする請求項１に記載のプローブピン固定アセンブリ。
【請求項１２】
前記第２の遊動防止部は、垂直方向および水平方向に固定されている
ことを特徴とする請求項１１に記載のプローブピン固定アセンブリ。
【請求項１３】
前記第２の遊動防止部が面接触することができるように、前記第１の挿入突起及び第２の挿入突起の上端は平らに形成されている
ことを特徴とする請求項１１に記載のプローブピン固定アセンブリ。
【請求項１４】
前記第２の挿入突起には、前記第２の遊動防止部と面接触される部位に弾性部が形成されている
ことを特徴とする請求項１３に記載のプローブピン固定アセンブリ。
【請求項１５】
その一端がディスプレイの回路パターンに接触可能に水平方向に長く形成されている第１の水平部と、
前記第１の水平部の他端から垂直方向に延びて形成されている垂直部と、
前記垂直部の終端から前記第１の水平部と反対方向に延びて形成されている第２の水平部と
を備え、
前記垂直部及び前記第２の水平部には、第１の挿入突起及び第２の挿入突起がそれぞれ突出形成されており、
前記第１の挿入突起及び前記第２の挿入突起は、プローブブロックとは反対側に突出している
ことを特徴とする固定可能なプローブピン。
【請求項１６】
前記第１の挿入突起は、垂直方向に長く形成され、
前記第２の挿入突起は、水平方向に長く形成され、
前記第１の挿入突起の上端には、係止突起が突出形成されている
ことを特徴とする請求項１５に記載の固定可能なプローブピン。
【請求項１７】
前記第２の挿入突起には、弾性部が形成されている
ことを特徴とする請求項１６に記載の固定可能なプローブピン。
【請求項１８】
前記第２の水平部が弾性変形可能であるように、前記第２の水平部には、開ループ状の孔が形成されている
ことを特徴とする請求項１７に記載の固定可能なプローブピン。
【発明の詳細な説明】
【技術分野】
【０００１】
本発明は、ディスプレイの検査の際にプローブピンを固定するプローブピン固定アセンブリ、及び該プローブピン固定アセンブリに符合するプローブピンに関する。
【背景技術】
【０００２】
一般に、プローブ・ユニットは、ディスプレイ上に形成されている接触パッドに接触する多数のプローブピンを備える。最近では、ディスプレイの接触パッド間の間隔、即ちピッチが非常に狭く形成されるにつれて、プローブピンを接触パッド上に正確に位置させるための多様な研究開発が進んでいる。（例えば、特許文献１参照）。
【先行技術文献】
【特許文献】
【０００３】
【特許文献１】韓国特許公開第２０１２−００４０４８４号公報
【発明の概要】
【発明が解決しようとする課題】
【０００４】
多数のプローブピンは、互いの間隔が狭いので、固定された位置を保つことができず、少しでも動いたり、傾いたりすると、互いに隣接したプローブピン同士が接触して短絡するか、プローブピンがディスプレイの接触位置から外れてしまい、正確な検査ができないという問題があった。
【０００５】
従って、ディスプレイの検査の際にプローブピンが、上下方向及び左右方向に動かずに、自分の位置を保つことができるように固定させることは、ディスプレイに対する正確な検査のために重要な事項である。
【０００６】
本発明は、ディスプレイの検査の際にプローブピンの上下方向及び左右方向への動きを防止するプローブピン固定アセンブリ、及び固定可能なプローブピンを提供することを目的とする。
【課題を解決するための手段】
【０００７】
上記した課題を解決し、目的を達成するために、本発明によるプローブピン固定アセンブリは、一側面には挿入突起が突出形成されているプローブピンが装着されるプローブブロックと、前記プローブピンが前記プローブブロックから左右方向に遊動することを防止する第１の遊動防止部と前記プローブピンが前記プローブブロックから上下方向に遊動することを防止する第２の遊動防止部とを備える遊動防止部とを備え、前記挿入突起は、前記プローブピンから前記プローブブロックとは反対側に突出し、前記第１の遊動防止部は、前記挿入突起にはめ込まれる挿入孔が形成されているフィルムを備える。
上記した課題を解決し、目的を達成するために、本発明の一態様によるプローブピン固定アセンブリは、一側面には挿入突起が突出形成されているプローブピンが装着されるプローブブロックと、前記プローブピンが前記プローブブロックから左右方向に遊動することを防止する第１の遊動防止部を備える遊動防止部とを備え、前記挿入突起は、前記プローブピンから前記プローブブロックとは反対側に突出し、前記第１の遊動防止部は、前記挿入突起にはめ込まれる挿入孔が形成されているフィルムを備える。
上記した課題を解決し、目的を達成するために、本発明の一態様によるプローブピン固定アセンブリは、その一端がディスプレイの回路パターンに接触可能に水平方向に長く形成されている第１の水平部と、前記第１の水平部の他端から垂直方向に延びて形成されている垂直部と、前記垂直部の終端から前記第１の水平部と反対方向に延びて形成されている第２の水平部と、前記垂直部に突出形成されている第１の挿入突起と前記第２の水平部に突出形成されている第２の挿入突起とを備える挿入突起とを備えるプローブピンと、前記プローブピンが装着されるプローブブロックと、前記プローブピンの上下方向の遊動を防止する第２の遊動防止部を備える遊動防止部とを備え、前記挿入突起は、前記プローブピンから前記プローブブロックとは反対側に突出している。
【０００８】
前記遊動防止部は、前記プローブピンの左右方向の遊動を防止する第１の遊動防止部を備えることを特徴とする。
【０００９】
前記遊動防止部は、前記プローブピンの上下方向の遊動を防止する第２の遊動防止部を備えることを特徴とする。
【００１０】
前記遊動防止部は、前記プローブピンの左右方向の遊動を防止する第１の遊動防止部と、前記プローブピンの上下方向の遊動を防止する第２の遊動防止部とを備えることを特徴とする。
【００１１】
前記プローブピンの一側面には、挿入突起が突出形成され、前記第１の遊動防止部は、前記挿入突起にはめ込まれる挿入孔が形成されているフィルムを備えることを特徴とする。
【００１２】
前記プローブピンは、一定の間隔をおいて複数設けられ、前記フィルムには、複数の挿入孔が一定の間隔をおいて形成されていることを特徴とする。
【００１３】
前記プローブピンは、その一端がディスプレイの回路パターンに接触可能に水平方向に長く形成されている第１の水平部と、前記第１の水平部の他端から垂直方向に延びて形成されている垂直部と、前記垂直部の終端 から前記第１の水平部と反対方向に延びて形成されている第２の水平部とを備え、前記挿入突起は、前記垂直部に突出形成されている第１の挿入突起と、前記第２の水平部に突出形成されている第２の挿入突起とを備えることを特徴とする。
【００１４】
前記第１の挿入突起は、垂直方向に長く形成され、前記第２の挿入突起は、水平方向に長く形成され、前記挿入孔は、長方形であることを特徴とする。
【００１５】
前記フィルムは、前記垂直部に対応する第１のフィルムと、前記第２の水平部に対応する第２のフィルムとを備えることを特徴とする。
【００１６】
前記第１のフィルムが前記第１の挿入突起から分離されることを防止するように、前記第１の挿入突起の上端には、係止突起が突出形成されていることを特徴とする。
【００１７】
前記第１の水平部及び第２の水平部は、弾性変形可能であることを特徴とする。
【００１８】
前記第２の水平部が弾性変形可能であるように、前記第２の水平部には、開ループ状の孔が形成されていることを特徴とする。
【００１９】
前記プローブピンは、その一端がディスプレイの回路パターンに接触可能に水平方向に長く形成されている第１の水平部と、前記第１の水平部の他端から垂直方向に延びて形成されている垂直部と、前記垂直部の終端から前記第１の水平部と反対方向に延びて形成されている第２の水平部とを備え、前記垂直部及び前記第２の水平部には、第１の挿入突起及び第２の挿入突起がそれぞれ突出形成され、前記第２の遊動防止部は、前記第１の挿入突起及び第２の挿入突起の上端に同時に面接触して前記プローブピンを固定することを特徴とする。
【００２０】
本発明によるプローブピン固定アセンブリにおいて、前記第２の遊動防止部は、垂直方向および水平方向に固定されていることを特徴とする。
【００２１】
前記第２の遊動防止部が面接触することができるように、前記第１の挿入突起及び第２の挿入突起の上端は平らに形成されていることを特徴とする。
【００２２】
前記第２の挿入突起には、前記第２の遊動防止部と面接触される部位に弾性部が形成されていることを特徴とする。
【００２３】
上記した課題を解決し、目的を達成するために、本発明による固定可能なプローブピンは、その一端がディスプレイの回路パターンに接触可能に水平方向に長く形成されている第１の水平部と、前記第１の水平部の他端から垂直方向に延びて形成されている垂直部と、前記垂直部の終端から前記第１の水平部と反対方向に延びて形成されている第２の水平部とを備え、前記垂直部及び前記第２の水平部には、第１の挿入突起及び第２の挿入突起がそれぞれ突出形成されており、前記第１の挿入突起及び前記第２の挿入突起は、プローブブロックとは反対側に突出していることを特徴とする。
【００２４】
前記第１の挿入突起は、垂直方向に長く形成され、前記第２の挿入突起は、水平方向に長く形成され、前記第１の挿入突起の上端には、係止突起が突出形成されていることを特徴とする。
【００２５】
前記第２の挿入突起には、弾性部が形成されていることを特徴とする。
【００２６】
前記第２の水平部が弾性変形可能であるように、前記第２の水平部には、開ループ状の孔が形成されていることを特徴とする。
【００２７】
本発明の特徴及び利点は、添付図面に基づいた以下の詳細な説明からより明白になるであろう。
【００２８】
ここで、本明細書及び請求範囲に使用されている用語や単語は、通常かつ辞書的な意味で解釈されてはならず、発明者が自分の発明を最善の方法で説明するために用語の概念を適切に定義できるという原則に即して、本発明の技術的な思想に符合する意味や概念で解釈されなければならない。
【発明の効果】
【００２９】
実施形態の一態様によれば、プローブピンの上下方向の遊動及び左右方向の遊動を防止することができる。
【００３０】
なお、プローブピン同士がくっつくことを防止して短絡となることを防止することにより、正確な検査が可能になる。
【００３１】
なお、プローブピンの変形を防止することができる。
【図面の簡単な説明】
【００３２】
【図１】図１は、本実施形態に係るプローブピン固定アセンブリを示す図である。
【図２】図２は、本実施形態に係るプローブピン固定アセンブリの要部拡大図である。
【図３】図３は、本実施形態に係るプローブピン固定アセンブリの各部材の接続関係を示す概略図である。
【図４】図４は、本実施形態に係る固定可能なプローブピンを示す図である。
【図５】図５は、本実施形態に係るプローブピン固定アセンブリの要部であるフィルムとプローブピンの接続状態を示す図である。
【図６】図６は、本実施形態に係る第１の遊動防止部の一例を示す図である。
【発明を実施するための形態】
【００３３】
以下に、本発明に係る固定可能なプローブピン及びプローブピン固定アセンブリの実施形態を図面に基づいて詳細に説明する。なお、この実施形態によりこの発明が限定されるものではない。また、下記実施形態における構成要素には、当業者が置換可能、かつ、容易なもの、あるいは実質的に同一のものが含まれる。
【００３４】
本発明の目的、特定の長所、及び新規の特徴は、添付図面を参照する以下の詳細な説明と実施形態からより明白になるであろう。本明細書において各図面の構成要素に参照番号を付加するにおいて、同一の構成要素に対しては、異なる図面に示される場合でも、できる限り同一の番号をつけるようにしていることに留意しなければならない。また、第１、第２などの用語は、多様な構成要素を説明するのに使われるが、上記構成要素は上記用語により限定されてはならない。上記用語は、一つの構成要素を他の構成要素から区別する目的にのみ使用される。また、本発明を説明するにおいて、関連した公知技術に対する具体的な説明が、本発明の要旨を不要に不明瞭にしてしまうと判断される場合、その詳細な説明は省略する。
【００３５】
以下、添付図面を参照して本発明の実施形態を詳細に説明する。
【００３６】
図１から図３に示されたように、本実施形態に係るプローブピン固定アセンブリは、プローブブロック２００及び遊動防止部３００を備える。
【００３７】
プローブブロック２００には、プローブピン１００が装着される。プローブブロック２００は、プローブピン１００が容易に装着及び固定されるように形成される。一例として、プローブピン１００がはめ込まれるように、プローブブロック２００の一側面には、凸部２１０が形成される。このようなプローブブロック２００の形状は、プローブピン１００が装着及び固定される構造であれば、多様に設計変更されることができる。
【００３８】
遊動防止部３００は、プローブピン１００がプローブブロック２００から上下方向及び左右方向に遊動されるのを防止する機能を有する。これにより、プローブピン１００は、ディスプレイの検査の際に力が加わっても、本来の位置に固定されるので、正確な検査が可能になる。
【００３９】
遊動防止部３００は、第１の遊動防止部３１０と第２の遊動防止部３２０とを備える。
【００４０】
第１の遊動防止部３１０は、プローブピン１００の左右方向の遊動を防止する機能を有する。即ち、互いに隣接するプローブピン１００の左右方向の遊動を防止することにより、ディスプレイの検査の際にプローブピン間の短絡を防止し、よって正確な検査を可能にする。
【００４１】
第２の遊動防止部３２０は、プローブピン１００の上下方向の遊動を防止する機能を有する。即ち、プローブピン１００の一端がディスプレイの回路パターンに接触されると、プローブピン１００に力が加わって上下方向に遊動される。このような動きが繰り返されると、プローブピン１００が変形されるので、第２の遊動防止部３２０がプローブピン１００を垂直及び水平方向に固定することで、プローブピン１００の上下方向の遊動を防止し、更にプローブピン１００の変形を防止する。
【００４２】
本実施形態に係るプローブピン固定アセンブリは、プローブ本体４００を更に備え、第２の遊動防止部３２０は、プローブ本体４００に固定接続される。プローブ本体４００に装着される第２の遊動防止部３２０は、ねじ、ボルトなどの多様な締結手段により固定接続されることができる。
【００４３】
一方、図３、図５、及び図６に示されたように、プローブピン１００の一側には、挿入突起１４０が形成され、第１の遊動防止部３１０は、挿入突起１４０にはめ込まれるように挿入孔３３０ａが形成されているフィルム３３０を備える。
【００４４】
プローブピン１００が一定の間隔をおいて複数設けられ、これらに対して、フィルム３３０に形成されている挿入孔３３０ａも複数のプローブピン１００に対応して複数形成される。挿入孔３３０ａの形状は、挿入突起１４０の形状に対応する形に形成されることが好ましい。
【００４５】
図３及び図４に示されたように、プローブピン１００は、第１の水平部１１０と、垂直部１２０と、第２の水平部１３０とを備える。
【００４６】
第１の水平部１１０は、その一端がディスプレイの回路パターンに接触可能であるように水平方向に長く形成される。垂直部１２０は、第１の水平部１１０の他端から垂直方向に延びて形成される。第２の水平部１３０は、垂直部１２０の終端から第１の水平部１１０と反対方向に延びて形成される。
【００４７】
第１の水平部１１０の底面は、前述のプローブブロック２００の上に置かれ、垂直部１２０の一面は、プローブブロック２００一側面に装着され、第２の水平部１３０底面は、プローブブロック２００の底面に装着される。プローブブロック２００は、おおよそ「Ｌ」字状の断面を有し、プローブピン１００は、プローブブロック２００の形状に合わせて装着可能な構造で形成される。
【００４８】
この場合、プローブブロック２００には、スリットが形成されてもよい。スリットを形成する場合、第１の水平部１１０及び第２の水平部１３０は、スリットに挿入される。
【００４９】
挿入突起１４０は、垂直部１２０に突出形成される第１の挿入突起１４２と、第２の水平部１３０に突出形成される第２の挿入突起１４４とを備える。フィルム３３０は、第１の挿入突起１４２にはめ込まれるように挿入孔３３０ａが形成されている第１のフィルム３３２と、第２の挿入突起１４４にはめ込まれるように挿入孔３３０ａが形成されている第２のフィルム３３４とを備える。
【００５０】
第１のフィルム３３２が第１の挿入突起１４２から分離されることを防止するために、第１の挿入突起１４２の上端には、係止突起１４２ａが突出形成されることが好ましい。また、第１の挿入突起１４２及び第２の挿入突起１４４の両端を斜めに形成することにより、第１のフィルム３３２と第１の挿入突起１４２との接続及び第２のフィルム３３４と第２の挿入突起１４４との接続を容易にすることが好ましい。
【００５１】
また、第１の挿入突起１４２及び第２の挿入突起１４４は、第２の遊動防止部３２０が面接触できるように、その上端が平らに形成されることが好ましく、最大限広い接触面積を確保することにより、第２の遊動防止部３２０によるプローブピン１００の上下遊動を防止することが好ましい。第２の挿入突起１４４が第２の遊動防止部３２０により必要以上に加圧されて損傷を受けることを防止できるように、第２の挿入突起１４４には、弾性部１４４ａを形成することがより好ましい。
【００５２】
第２の遊動防止部３２０は、第１の挿入突起１４２及び第２の挿入突起１４４が第２の遊動防止部３２０に固く面接触できるように、プローブ本体４００に垂直及び水平方向に固定接続される。
【００５３】
プローブピン１００を用いてディスプレイを検査する場合、プローブピン１００の一端は、ディスプレイの回路パターンに接触し、その他端は、検査制御装置に接続される回路パターンに接触する。多数のプローブピン１００は、全て回路パターンに接触しなければならない。プローブピン１００の接触段差を合わせるために、プローブピン１００の第１の水平部１１０及び第２の水平部１３０は、弾性変形可能に形成されることが好ましい。特に、第２の水平部１３０には、開ループ状の孔１３２を形成して弾性力を最大化することが好ましい。
【００５４】
本発明者は、本発明の効果を比較するために、遊動防止部３００を適用しない従来技術と、本実施形態との接触位置誤差を測定した。１番から１００番までのプローブピンの接触位置を計測し、その誤差値を下記の表１にまとめた。
【００５５】
【表１】
0006055951.tif 000002
【００５６】
表１に示したように、テストの結果、遊動防止部３００を適用しない場合の平均誤差値は、9.46μmであり、本実施形態による平均誤差値は、4.87μmであった。即ち、本実施形態によれば、従来技術に比べて平均誤差値が1/2水準に減少することが分かる。
【００５７】
以上、具体的な実施形態を用いて本発明を詳細に説明したが、これは本発明を具体的に説明するものであって、本実施形態に係る固定可能なプローブピン及びプローブピン固定アセンブリに限定されるものではなく、本発明の技術的思想内において当業者によりその変形や改良が可能であることは明白である。
【００５８】
本発明の単純な変形や変更は、全て本発明の領域に属するものであって、本発明の具体的な保護範囲は、添付の特許請求の範囲により明確になるであろう。
【００５９】
さらなる効果や変形例は、当業者によって容易に導き出すことができる。このため、本発明のより広範な態様は、以上のように表しかつ記述した特定の詳細、及び代表的な実施形態に限定されるものではない。従って、添付の特許請求の範囲、及びその均等物によって定義される総括的な発明の概念の精神または範囲から逸脱することなく、様々な変更が可能である。
【符号の説明】
【００６０】
１００      プローブピン
１１０      第１の水平部
１２０      垂直部
１３０      第２の水平部
１３２      孔
１４０      挿入突起
１４２      第１の挿入突起
１４２ａ    係止突起
１４４      第２の挿入突起
１４４ａ    弾性部
２００      プローブブロック
２１０      凸部
３００      遊動防止部
３１０      第１の遊動防止部
３２０      第２の遊動防止部
３３０      フィルム
３３０ａ    挿入孔
３３２      第１のフィルム
３３４      第２のフィルム
４００      プローブ本体
【図１】
0006055951.tif 000003
【図２】
0006055951.tif 000004
【図３】
0006055951.tif 000005
【図４】
0006055951.tif 000006
【図５】
0006055951.tif 000007
【図６】
0006055951.tif 000008